(57)【要約】【課題】本発明は、光ディスクに対して光ビームを精度よく集光する。【解決手段】本発明は、光ディスク１００の判別結果に基づき、偏光切替素子３３によって光ビームＬ１の偏光方向を切り替えることにより、光ビームＬ２Ｓ及びＬ２Ｐを同一の光路からプリズム３６へ入射させるため、対物レンズホルダ２９の入射面２９Ａに１本分の光ビームを通過させるための孔部２９Ｂを設ければよく、そのため当該対物レンズホルダ２９を軽量化した場合でも、剛性の低下を必要最小限に抑えることができるので、対物レンズ３７Ｈ又は３７Ｂから出射した光ビームＬ３Ｓ又はＬ３Ｐを精度よく光ディスク１００Ｈ又は１００Ｂに集光することができる。【選択図】図３
2009181629.tif 000002
【特許請求の範囲】
【請求項１】
同一の光源から出射される光ビームを第１又は第２の対物レンズを介して第１又は第２の光ディスクに照射する光ピックアップであって、
上記第１の光ディスクに上記光ビームを照射する際には上記光ビームを第１の偏光方向とし、上記第２の光ディスクに上記光ビームを照射する際には上記光ビームを第２の偏光方向とする偏光切替部と、
上記第１の偏光方向の上記光ビームを反射して上記第１の対物レンズに導く一方、上記第２の偏光方向の上記光ビームを透過する反射透過面と、上記反射透過面を透過した上記光ビームを反射する反射面と、上記反射面を反射した上記光ビームを透過して上記第２の対物レンズに導く透過面とを有し、上記第２の偏光方向の上記光ビームを上記反射透過面及び上記透過面により屈折させて上記第２の対物レンズに導くプリズムと
を具えることを特徴とする光ピックアップ。
【請求項２】
上記光ビームは、上記光ディスクの半径方向を表すラジアル方向に直交するタンジェンシャル方向から上記プリズムに対して入射され、
上記第１及び第２の対物レンズは、上記光ディスクに対し上記タンジェンシャル方向に沿って配置されている
ことを特徴とする請求項１に記載の光ピックアップ。
【請求項３】
上記第１及び第２の対物レンズが取り付けられ、上記光ピックアップに対し揺動する対物レンズホルダ
を具え、
上記対物レンズホルダは、上記光ビームを１本のみ通過させる空間が設けられている
ことを特徴とする請求項１に記載の光ピックアップ。
【請求項４】
上記プリズムの上記反射透過面は、上記光ビームとは異なる波長でなる第２の光ビームを反射して上記第１の対物レンズに導く
ことを特徴とする請求項１に記載の光ピックアップ。
【請求項５】
上記プリズムの透過面は、第２の光源から出射され上記光ビームと対向する方向から入射された、上記光ビームとは異なる波長でなる第２の光ビームを反射して上記第２の対物レンズに導く
ことを特徴とする請求項１に記載の光ピックアップ。
【請求項６】
同一の光源から出射される光ビームを第１又は第２の対物レンズを介して第１又は第２の光ディスクに照射する光ディスク装置であって、
上記第１の光ディスクに上記光ビームを照射する際には上記光ビームを第１の偏光方向とし、上記第２の光ディスクに上記光ビームを照射する際には上記光ビームを第２の偏光方向とする偏光切替部と、
上記第１の偏光方向の上記光ビームを反射して上記第１の対物レンズに導く一方、上記第２の偏光方向の上記光ビームを透過する反射透過面と、上記反射透過面を透過した上記光ビームを反射する反射面と、上記反射面を反射した上記光ビームを透過して上記第２の対物レンズに導く透過面とを有し、上記第２の偏光方向の上記光ビームを上記反射透過面及び上記透過面により屈折させて上記第２の対物レンズに導くプリズムと、
上記第１の光ディスクに上記光ビームを照射する際には、上記光ビームを第１の偏光方向とし、上記第２の光ディスクに上記光ビームを照射する際には、上記光ビームを上記第２の偏光方向を切り替えるように上記偏光切替部を制御する制御部と
を具えることを特徴とする光ディスク装置。
【発明の詳細な説明】
【技術分野】
【０００１】
本発明は、光ピックアップ及び光ディスク装置に関し、例えばＢＤ（Blu-ray Disc、登録商標）方式及びＨＤ  ＤＶＤ（High Density Digital Versatile Disc、登録商標）方式に対応した光ディスク装置に適用して好適なものである。
【背景技術】
【０００２】
従来、光ディスク装置においては、光ビームを光ディスクに照射することにより当該光ディスクに情報を記録し、またその反射光を検出することにより当該光ディスクから情報を再生し得るようになされたものが広く普及している。
【０００３】
かかる光ディスク装置では、記憶容量を増加させるべく、ＣＤ（Compact Disc）、ＤＶＤ（Digital Versatile Disc）、ＨＤ  ＤＶＤ並びにＢＤのように次々と新たな方式が規定され、高密度化が図られてきた。
【０００４】
特にＨＤ  ＤＶＤ及びＢＤを比較すると、波長が約４０５［ｎｍ］で共通しているものの、光ディスクの表面から記録層までの距離、すなわちカバー層の厚さがそれぞれ約０．６[ｍｍ]及び約０．１[ｍｍ]と異なり、対物レンズに要求される開口数も約０．６５及び約０．８５と異なっている。
【０００５】
このため、光ディスク装置をＨＤ  ＤＶＤ及びＢＤの双方に対応させ、かつ構成をできるだけ簡易化するには、波長が約４０５[ｎｍ]のレーザダイオードを共有化する一方、ＨＤ  ＤＶＤ用及びＢＤ用それぞれに対物レンズを設ける構成が考えられる。
【０００６】
そこで、光ビームの偏光方向を調整すると共に、偏光ビームスプリッタにより当該光ビームの光路を切り換えるようにした光ディスク装置が提案されている（例えば、特許文献１参照）。
【０００７】
このような光ディスク装置を実際に採用する場合、例えば図１（Ａ）に示すような構成の光ディスク装置１の光ピックアップ２が考えられる。
【０００８】
光ディスク装置１は、移動軸Ｇ１及びＧ２に沿って光ピックアップ２を光ディスク１００の内周側又は外周側へ向かう方向であるトラッキング方向に大きく移動させる。
【０００９】
以下では、説明の便宜上、光ディスク１００の内周側又は外周側へ向かうトラッキング方向をラジアル方向、このラジアル方向と直交する方向をタンジェンシャル方向とも呼ぶ。
【００１０】
光ピックアップ２は、レーザダイオード３からラジアル方向に光ビームを出射させ、１／２波長板４により偏光方向を調節し、液晶でなる偏光方向切換器５を介して偏光ビームスプリッタ６へ入射させる。このとき光ピックアップ２は、所定の判別手段により光ディスク１００がＢＤ又はＨＤ  ＤＶＤのいずれであるかを判別した上で、その判別結果に応じて偏光方向切換器５により光ビームの偏光方向を切り替える。
【００１１】
光ピックアップ２は、光ディスク１００がＢＤ方式でなる光ディスク１００Ｂであった場合、偏光ビームスプリッタ６の反射透過面６Ａにより光ビームを反射させ、これをコリメータレンズ７Ｂにより平行光に変換し、１／４波長板８により円偏光に変換した光ビームをタンジェンシャル方向から対物レンズホルダ９に搭載された対物レンズ１０Ｂへ入射させる。
【００１２】
このとき光ピックアップ２は、図１（Ｂ）に示すように、１／４波長板８から入射された光ビームを立上ミラー１４Ｂによって反射させることにより立ち上げ、開口数が約０．８５でなる対物レンズ１０Ｂにより光ディスク１００Ｂに当該光ビームを集光する。
【００１３】
一方、光ピックアップ２（図１（Ａ））は、光ディスク１００がＨＤ  ＤＶＤ方式でなる光ディスク１００Ｈであった場合、偏光ビームスプリッタ６の反射透過面６Ａにより光ビームを透過させ、これを反射板１１により反射させた後、コリメータレンズ７Ｈにより平行光に変換し、１／４波長板８により円偏光に変換した光ビームをタンジェンシャル方向から対物レンズホルダ９に搭載された対物レンズ１０Ｈへ入射させる。
【００１４】
このとき光ピックアップ２は、１／４波長板８から入射された光ビームを立上ミラー１４Ｈ（図１（Ｂ））によって反射させることにより立ち上げ、開口数が約０．６５でなる対物レンズ１０Ｈにより光ディスク１００Ｈに当該光ビームを集光する。
【００１５】
また光ピックアップ２は、光ディスク１００Ｈにより反射された光ビームを偏光ビームスプリッタ６の反射透過面６Ａにより反射し、また光ディスク１００Ｂにより反射された光ビームを当該反射透過面６Ａにより透過し、これを集光レンズ１２によりフォトディテクタ１３に集光する。
【特許文献１】特開2007-4875公報
【発明の開示】
【発明が解決しようとする課題】
【００１６】
ところで上述した光ディスク装置１における光ピックアップ２の対物レンズホルダ９は、図１（Ｃ）に示すように、ＨＤ  ＤＶＤ用及びＢＤ用の光ビームがタンジェンシャル方向からそれぞれ異なる光路によって入射するため、２本の光ビームが通過するための空間を対物レンズホルダ９に設ける必要がある。
【００１７】
一方、光ディスク装置１においては、アクチュエータの制御に対する応答性をよくするために対物レンズホルダ９を軽量化する必要がある。
【００１８】
従って対物レンズホルダ９は、２本の光ビームが通過するための空間を設けているため、軽量化しようとした場合、剛性が不十分になってしまうことがある。
【００１９】
光ディスク装置１は、対物レンズホルダ９の剛性が不十分になると、当該対物レンズホルダ９に搭載した対物レンズ１０Ｂ及び１０Ｈから出射した光ビームを精度よく光ディスク１００Ｂ及び１００Ｈに集光できないという問題があった。
【００２０】
本発明は以上の点を考慮してなされたもので、光ディスクに対して光ビームを精度よく集光し得る光ピックアップ及び光ディスク装置を提案しようとするものである。
【課題を解決するための手段】
【００２１】
かかる課題を解決するため本発明の光ピックアップにおいては、同一の光源から出射される光ビームを第１又は第２の対物レンズを介して第１又は第２の光ディスクに照射する光ピックアップであって、第１の光ディスクに光ビームを照射する際には光ビームを第１の偏光方向とし、第２の光ディスクに光ビームを照射する際には光ビームを第２の偏光方向とする偏光切替部と、第１の偏光方向の光ビームを反射して第１の対物レンズに導く一方、第２の偏光方向の光ビームを透過する反射透過面と、反射透過面を透過した光ビームを反射する反射面と、反射面を反射した光ビームを透過して第２の対物レンズに導く透過面とを有し、第２の偏光方向の光ビームを反射透過面及び透過面により屈折させて第２の対物レンズに導くプリズムとを設けるようにした。
【００２２】
これにより、第１及び第２の光ディスクのいずれに光ビームを照射する場合であっても、偏光切替部によって偏光方向を切り替えた光ビームを同一の光路からプリズムへ入射させ、光ビームの屈折を利用してそれぞれに対応した第１又は第２の対物レンズへ向けて立ち上げることができるため、第１及び第２の対物レンズを取り付けている対物レンズホルダに１本分の光ビームを通過させるための孔部が設けられていればよく、そのため当該対物レンズホルダの剛性の低下を必要最小限に抑えることができる。
【００２３】
また本発明の光ディスク装置においては、同一の光源から出射される光ビームを第１又は第２の対物レンズを介して第１又は第２の光ディスクに照射する光ディスク装置であって、第１の光ディスクに光ビームを照射する際には光ビームを第１の偏光方向とし、第２の光ディスクに光ビームを照射する際には光ビームを第２の偏光方向とする偏光切替部と、第１の偏光方向の光ビームを反射して第１の対物レンズに導く一方、第２の偏光方向の光ビームを透過する反射透過面と、反射透過面を透過した光ビームを反射する反射面と、反射面を反射した光ビームを透過して第２の対物レンズに導く透過面とを有し、第２の偏光方向の光ビームを反射透過面及び透過面により屈折させて第２の対物レンズに導くプリズムと、第１の光ディスクに光ビームを照射する際には、光ビームを第１の偏光方向とし、第２の光ディスクに光ビームを照射する際には、光ビームを第２の偏光方向を切り替えるように偏光切替部を制御する制御部とを設けるようにした。
【００２４】
これにより、第１及び第２の光ディスクのいずれに光ビームを照射する場合であっても、偏光切替部によって偏光方向を切り替えた光ビームを同一の光路からプリズムへ入射させ、光ビームの屈折を利用してそれぞれに対応した第１又は第２の対物レンズへ向けて立ち上げることができるため、第１及び第２の対物レンズを取り付けている対物レンズホルダに１本分の光ビームを通過させるための孔部が設けられていればよく、そのため当該対物レンズホルダの剛性の低下を必要最小限に抑えることができる。
【発明の効果】
【００２５】
本発明によれば、第１及び第２の光ディスクのいずれに光ビームを照射する場合であっても、偏光切替部によって偏光方向を切り替えた光ビームを同一の光路からプリズムへ入射させ、光ビームの屈折を利用してそれぞれに対応した第１又は第２の対物レンズへ向けて立ち上げることができるため、第１及び第２の対物レンズを取り付けている対物レンズホルダに１本分の光ビームを通過させるための孔部が設けられていればよく、そのため当該対物レンズホルダの剛性の低下を必要最小限に抑えることができるため、光ディスクに対して光ビームを精度よく集光し得る光ピックアップ及び光ディスク装置を実現できる。
【発明を実施するための最良の形態】
【００２６】
以下に、図面について、本発明の一実施の形態を詳述する。
【００２７】
（１）第１の実施の形態
（１−１）光ディスク装置の全体構成
図２において、第１の実施の形態による光ディスク装置２０は、制御部２１を中心に構成されており、光ディスク１００に対して情報を記録し、また当該光ディスク１００から情報を再生し得るようになされている。
【００２８】
制御部２１は、図示しないＣＰＵ（Central Processing Unit）と、各種プログラム等が格納されるＲＯＭ（Read Only Memory）と、当該ＣＰＵのワークメモリとして用いられるＲＡＭ（Random Access Memory）とによって構成されており、光ディスク装置２０を統括制御するようになされている。
【００２９】
すなわち制御部２１は、駆動部２２を介してスピンドルモータ２５を回転駆動させ、ターンテーブル（図示せず）に載置された光ディスク１００を所望の速度に回転させる。また制御部２１は、駆動部２２を介してスレッドモータ２６を駆動させることにより、移動軸Ｇ１及びＧ２に沿って光ピックアップ２７を光ディスク１００の内周側又は外周側へ向かう方向であるトラッキング方向に大きく移動させる。
【００３０】
さらに制御部２１は、駆動部２２を介して２軸アクチュエータ２８を駆動制御することにより対物レンズホルダ２９を光ディスク１００に近接又は離隔させるフォーカス方向に移動させ、またトラッキング方向に細かく移動させる。
【００３１】
制御部２１は、このように対物レンズホルダ２９の位置を制御した上で、光ピックアップ２７によって光ディスク１００に対し光ビームを照射し、その反射光を検出することにより、情報の再生処理及び記録処理を行うようになされている。
【００３２】
ところで光ディスク装置２０は、ＢＤ方式でなる光ディスク１００Ｂ及びＨＤ  ＤＶＤ方式でなる光ディスク１００Ｈの両方に対応し得るようになされている。
【００３３】
このため制御部２１は、光ディスク１００が装填されると、まず当該光ディスク１００のＴＯＣ（Table of Contents）領域等から当該光ディスク１００の種別に関する情報を読み出す等のディスク判別処理を行うことにより、当該光ディスク１００がＢＤ方式でなる光ディスク１００Ｂ又はＨＤ  ＤＶＤ方式でなる光ディスク１００Ｈのいずれであるかを判別するようになされている。
【００３４】
（１−２）光ピックアップの構成
光ピックアップ２７は、図３に示すように、光源としてのレーザダイオード３１から波長約４０５［ｎｍ］の例えばＰ偏光でなるレーザ光を光ビームＬ１として出射させ、無偏光ビームスプリッタ３２へ入射させる。無偏光ビームスプリッタ３２は、レーザダイオード３１から入射された光ビームＬ１を約５０％の割合で透過し、液晶でなる偏光切替素子３３へ入射させる。
【００３５】
偏光切替素子３３は、液晶を駆動して特性を変化させることにより、光ビームをそのまま透過させるか、あるいはその偏光方向を回転させるかを切り替えるようになされている。実際上、偏光切替素子３３は、制御部２１（図２）の制御に基づいて液晶を駆動することにより、光ビームＬ１の偏光方向をＰ偏光のまま透過させて光ビームＬ２Ｐとし、又はＳ偏光に回転させることにより光ビームＬ２Ｓとし、これをコリメータレンズ３４へ入射させる。
【００３６】
ここで制御部２１は、光ディスク１００に対するディスク判別結果に基づいて偏光切替素子３３を制御することにより、光ビームＬ１の偏光方向を切り替えるようになされている。
【００３７】
すなわち制御部２１は、光ディスク１００がＢＤ方式でなる光ディスク１００Ｂであった場合、偏光切替素子３３により光ビームＬ１をＰ偏光のまま透過させ、一方光ディスク１００がＨＤ  ＤＶＤ方式でなる光ディスク１００Ｈであった場合、偏光切替素子３３により光ビームＬ１をＳ偏光に回転させるようになされている。
【００３８】
これにより偏光切替素子３３は、光ディスク１００がＨＤ  ＤＶＤ方式でなる光ディスク１００Ｈであった場合、偏光切替素子３３により光ビームＬ１をＳ偏光に回転させた光ビームＬ２Ｓをコリメータレンズ３４へ入射させる。
【００３９】
コリメータレンズ３４は、光ビームＬ２Ｓを発散光から光束幅Ｄａとなる平行光に変換し、収差補正素子３５へ入射させる。収差補正素子３５は、コリメータレンズ３４から入射された光ビームＬ２Ｓの収差を補正し、プリズム３６へ入射させる。
【００４０】
プリズム３６は、所定の屈折率を有する樹脂材料等でなり、反射透過面３６Ａ、反射面３６Ｂ、透過面３６Ｃ及び載置面３６Ｄを側面とする略４角柱状に形成されており、載置面３６Ｄを下方へ向けるよう倒置された状態で光ピックアップ２７の取付面２７Ａに取り付けられている。
【００４１】
またプリズム３６は、反射透過面３６Ａと載置面３６Ｄとのなす角度α１が４５°に設定され、反射面３６Ｂと透過面３６Ｃとが角度β１をなし、光ピックアップ２７の取付面２７Ａに対して反射面３６Ｂが角度γ１をなして傾斜している。
【００４２】
さらにプリズム３６の反射透過面３６Ａは、Ｓ偏光の光ビームを反射し、Ｐ偏光の光ビームを透過する偏光膜が貼り付けられている。またプリズム３６は、反射面３６Ｂにより光ビームをほぼ１００％反射し、透過面３６Ｃにより光ビームをほぼ１００％透過するようになされている。
【００４３】
これによりプリズム３６は、収差補正素子３５から入射された光ビームＬ２Ｓを反射透過面３６Ａにより反射させ、当該反射させた光束幅Ｄｈの光ビームＬ３Ｓを対物レンズ３７Ｈに入射させる。このとき光束幅Ｄｈは、光束幅Ｄａと同等になる。
【００４４】
対物レンズ３７Ｈは、ＨＤ  ＤＶＤ方式でなる光ディスク１００Ｈに合わせた光学特性を有しており、ＮＡを０．６５として光ビームＬ３Ｓを集光し、当該光ディスク１００Ｈの信号記録層１００ＨＳに照射する。このとき対物レンズ３７Ｈは、光ビームＬ３Ｓを信号記録層１００ＨＳに対して垂直に入射させるようになされている。
【００４５】
光ビームＬ３Ｓは、信号記録層１００ＨＳにおいて反射され、反射光ビームＬ４Ｓとして光ビームＬ３Ｓの光路を反対方向へ順次辿る。反射光ビームＬ４Ｓは、対物レンズ３７Ｈにより平行光に変換され、プリズム３６の反射透過面３６Ａにより反射され、収差補正素子３５を介してコリメータレンズ３４により収束光に変換された上で、偏光切替素子３３を介して無偏光ビームスプリッタ３２へ入射される。
【００４６】
無偏光ビームスプリッタ３２は、偏光切替素子３３を介して入射された反射光ビームＬ４Ｓを約５０％の割合で反射し、マルチレンズ３８へ入射させる。マルチレンズ３８は、反射光ビームＬ４Ｓに非点収差を持たせた上で、当該反射光ビームＬ４Ｓをフォトディテクタ３９に集光する。
【００４７】
フォトディテクタ３９は、複数の検出領域を有しており、各検出領域により反射光ビームＬ５Ｓの光量をそれぞれ検出し、複数の検出信号を生成して信号処理部２３（図２）へ供給する。
【００４８】
信号処理部２３は、供給された複数の検出信号に対して所定の演算処理を施すことによりフォーカスエラー信号及びトラッキングエラー信号等を生成し、これらを駆動部２２へ供給することにより、フィードバック処理によるフォーカス制御及びトラッキング制御を行わせるようになされている。
【００４９】
また信号処理部２３は、供給された複数の検出信号に対して所定の演算処理を施すことにより、記録されている情報を表す再生ＲＦ信号を生成し、さらに所定の復調処理や復号化処理等を施すことにより再生信号を生成して、当該再生信号を制御部２１へ供給する。これに応じて制御部２１は、供給された再生信号を図示しない外部機器へ供給する。
【００５０】
このように光ピックアップ２７は、光ディスク１００がＨＤ  ＤＶＤ方式でなる光ディスク１００Ｈであった場合、Ｓ偏光の光ビームＬ２Ｓをプリズム３６の反射透過面３６Ａで反射させることにより、当該反射された光ビームＬ３Ｓを対物レンズ３７Ｈへ入射させるようになされている。
【００５１】
一方、偏光切替素子３３は、光ディスク１００がＢＤ方式でなる光ディスク１００Ｂであった場合、光ビームＬ１をＰ偏光のまま透過させた光ビームＬ２Ｐをコリメータレンズ３４へ入射させる。
【００５２】
コリメータレンズ３４は、光ビームＬ２Ｐを発散光から光束幅Ｄａとなる平行光に変換し、収差補正素子３５へ入射させる。収差補正素子３５は、コリメータレンズ３４から入射された光ビームＬ２Ｐの収差を補正し、プリズム３６へ入射させる。
【００５３】
プリズム３６は、収差補正素子３５から入射された光ビームＬ２Ｐを反射透過面３６Ａにより透過させると共に下方へ屈折させ、反射面３６Ｂで当該光ビームＬ２Ｐを反射させた後、当該光ビームＬ２Ｐを透過面３６Ｃにより透過させると共に屈折させた光束幅Ｄｂの光ビームＬ３Ｐとして対物レンズ３７Ｂへ入射させる。
【００５４】
ここでプリズム３６は、当該プリズム３６の屈折率を基に、反射面３６Ｂと透過面３６Ｃとのなす角度β１、及び光ピックアップ２７の取付面２７Ａに対する反射面３６Ｂの傾斜した角度γ１がそれぞれ適切に設定されていることにより、光ビームＬ２Ｐを対物レンズ３７Ｂへ導き得るようになされている。
【００５５】
対物レンズ３７Ｂは、ＢＤ方式でなる光ディスク１００Ｂに合わせた光学特性を有しており、ＮＡを０．８５として光ビームＬ３Ｐを集光し、当該光ディスク１００Ｂの信号記録層１００ＢＳに照射する。このとき対物レンズ３７Ｂは、光ビームＬ３Ｐを光ディスク１００Ｂの信号記録層１００ＢＳに対して垂直に入射させるようになされている。
【００５６】
光ビームＬ３Ｐは、信号記録層１００ＢＳにおいて反射され、反射光ビームＬ４Ｐとして光ビームＬ３Ｐの光路を反対方向へ順次辿る。反射光ビームＬ４Ｐは、対物レンズ３７Ｂにより平行光に変換され、プリズム３６の透過面３６Ｃにより透過され、反射面３６Ｂにより反射された後、反射透過面３６Ａにより透過され、収差補正素子３５を介してコリメータレンズ３４により収束光に変換された上で、偏光切替素子３３を介して無偏光ビームスプリッタ３２へ入射される。
【００５７】
無偏光ビームスプリッタ３２は、偏光切替素子３３を介して入射された反射光ビームＬ４Ｐを約５０％の割合で反射し、マルチレンズ３８へ入射させる。マルチレンズ３８は、反射光ビームＬ４Ｐに収差を持たせた上で、フォトディテクタ３９に集光する。
【００５８】
このように光ピックアップ２７は、光ディスク１００がＢＤ方式でなる光ディスク１００Ｂであった場合、Ｐ偏光の光ビームＬ２Ｐをプリズム３６の反射透過面３６Ａにおいて透過させ、さらに反射面３６Ｂにおいて反射させ、透過面３６Ｃにおいて透過させることにより、対物レンズ３７Ｂへ入射させるようになされている。
【００５９】
すなわちプリズム３６は、偏光切替素子３３によって光ビームＬ１の偏光方向を切り替えることにより、光ビームＬ２Ｓ及びＬ２Ｐをそれぞれ異なる光路へ切り換えて進行させると共に、光ビームＬ２Ｓ及びＬ２Ｐをそれぞれ対物レンズ３７Ｈ及び３７Ｂへ入射させるようになされている。
【００６０】
（１−３）対物レンズホルダの構成
光ピックアップ２７は、上面図を図４（Ａ）に示すように、レーザダイオード３１からタンジェンシャル方向に光ビームＬ１を出射させ、無偏光ビームスプリッタ３２、偏光切替素子３３、コリメータレンズ３４及び収差補正素子３５を介してプリズム３６にタンジェンシャル方向から光ビームＬ２Ｓ又はＬ２Ｐを入射させる。
【００６１】
このときプリズム３６は、図４（Ｂ）に示すように、光ディスク１００がＨＤ  ＤＶＤ方式でなる光ディスク１００Ｈであった場合、タンジェンシャル方向から入射された光ビームＬ２Ｓを反射透過面３６Ａによって反射させることにより上方向に立ち上げる。
【００６２】
またプリズム３６は、光ディスク１００がＢＤ方式でなる光ディスク１００Ｂであった場合、タンジェンシャル方向から入射された光ビームＬ２Ｐを反射透過面３６Ａにより透過させ、当該光ビームＬ２Ｐを反射面３６Ｂにより反射させた後、透過面３６Ｃによって当該光ビームＬ２Ｐを透過させることにより上方向に立ち上げる。
【００６３】
ところで対物レンズホルダ２９は、図４（Ｂ）及び（Ｃ）に示すように、光ビームＬ２Ｓ及びＬ２Ｐが同一の光路からプリズム３６へ入射するため、入射面２９Ａに対して１本分の光ビームを通過させるための孔部２９Ｂが設けられている。
【００６４】
このため対物レンズホルダ２９は、１本分の光ビームを通過させ得る程度の孔部２９Ｂを入射面２９Ａに設ければ良く、２軸アクチュエータ２８の制御に対する応答性をよくするために軽量化を実現すると共に、剛性の低下を必要最小限に抑えることができる。
【００６５】
（１−４）動作及び効果
以上の構成において、第１の実施の形態による光ディスク装置２０は、制御部２１により光ディスク１００の種別を判別した後、光ディスク１００に情報を記録する際、又は当該光ディスク１００から情報を再生する際、レーザダイオード３１からタンジェンシャル方向に光ビームＬ１を出射させ、無偏光ビームスプリッタ３２を介して当該光ビームＬ１を偏光切替素子３３へ入射させる。
【００６６】
次に偏光切替素子３３は、光ディスク１００の種類に応じて、光ビームＬ１の偏光方向をそのまま回転させず光ビームＬ２Ｐとし、又は光ビームＬ１の偏光方向を回転させて光ビームＬ２Ｓとして、これらをコリメータレンズ３４及び収差補正素子３５を介してプリズム３６にタンジェンシャル方向から入射させる。
【００６７】
プリズム３６は、反射透過面３６Ａの光学的性質により、光ビームＬ２Ｓを反射して対物レンズ３７Ｈへ導く一方、光ビームＬ２Ｐを透過して反射面３６Ｂ及び透過面３７Ｃを介して対物レンズ３７Ｂへ導く。
【００６８】
すなわちプリズム３６の反射透過面３６Ａは、光ビームＬ２Ｓを反射させると共に、光ビームＬ２Ｐを透過させることによって、当該光ビームＬ２Ｓ及びＬ２Ｐをそれぞれ異なる光路へ切り換えると共に、光ビームＬ２Ｓを立ち上げて対物レンズ３７Ｈへ導くことができる。
【００６９】
これにより光ピックアップ２７は、ＨＤ  ＤＶＤ方式でなる光ディスク１００Ｈに対しては対物レンズ３７Ｈを介して光ビームＬ３Ｓを照射させ、またＢＤ方式でなる光ディスク１００Ｂに対しては対物レンズ３７Ｂを介して光ビームＬ３Ｐを照射させる。
【００７０】
従って光ピックアップ２７は、制御部２１による光ディスク１００の判別結果に基づき、偏光切替素子３３によって光ビームＬ１の偏光方向を切り替えることができるので、対物レンズ３７Ｈを介してＨＤ  ＤＶＤ方式でなる光ディスク１００Ｈに光ビームＬ３Ｐを照射することができると共に、対物レンズ３７Ｂを介してＢＤ方式でなる光ディスク１００Ｂに光ビームＬ３Ｓを照射することができる。
【００７１】
また光ピックアップ２７は、光ビームＬ２Ｓ及びＬ２Ｐを同一の光路からプリズム３６へ入射させるため、対物レンズホルダ２９の入射面２９Ａに１本分の光ビームのみを通過させるための孔部２９Ｂを設ければ良い。このため対物レンズホルダ２９は、２本分の光ビームを通過させる孔部を設ける必要がある対物レンズホルダ９（図１（Ｃ））と比して、軽量化と剛性の維持とを高い次元で両立させることができる。
【００７２】
これにより光ピックアップ２７は、対物レンズホルダ２９に搭載した対物レンズ３７Ｈから出射した光ビームＬ３Ｓを精度よく光ディスク１００Ｈに集光することができ、かつ対物レンズ３７Ｂから出射した光ビームＬ３Ｐを精度よく光ディスク１００Ｂに集光することができる。
【００７３】
この結果、光ピックアップ２７は、光ビームＬ３Ｓ及びＬ３Ｐを精度よくそれぞれ光ディスク１００Ｈ及び１００Ｂに集光することができるので、光ディスク１００に情報を記録する精度、及び当該光ディスク１００から情報を再生する精度を向上することができる。
【００７４】
さらにプリズム３６は、反射透過面３６Ａにより光ビームＬ２Ｓを反射させ、又は光ビームＬ２Ｐを透過させることができると共に、反射透過面３６Ａにより光ビームＬ２Ｓを上方向へ立ち上げ、又は反射透過面３６Ａ、反射面３６Ｂ及び透過面３６Ｃを介して光ビームＬ２Ｐを上方向へ立ち上げることができる。このためプリズム３６は、図１（Ａ）に示した偏光ビームスプリッタ６、立上ミラー１４Ｂ及び１４Ｈの機能を同時に行うことができ、光ピックアップ２７における部品点数の削減に寄与することができる。
【００７５】
また光ピックアップ２７は、立上ミラー１４Ｂ及び１４Ｈ（図１（Ｂ））のそれぞれに対して光ビームを上方向に立ち上がるよう調整しなくてはならない場合と比して、プリズム３６単体の精度を確保することで、光ビームＬ２Ｓ及びＬ２Ｐを上方向に立ち上がるように当該プリズム３６の取付状態だけを調節するだけでよく、その分、光ピックアップ２７の製造過程において調整作業工程を低減させることができる。
【００７６】
さらに光ピックアップ２７は、光ディスク１００がＨＤ  ＤＶＤ方式でなる光ディスク１００Ｈであった場合、コリメータレンズ３４により光ビームＬ２Ｓを発散光から光束幅Ｄａとなる平行光に変換し、反射透過面３６Ａによって反射させた光束幅Ｄｈでなる光ビームＬ３Ｓを対物レンズ３７Ｈに入射させることにより、当該光ディスク１００Ｈの隣接トラックの影響やピット方向の解像度を考慮した最適な光束幅Ｄｈに変更することができる。
【００７７】
一方、光ピックアップ２７は、光ディスク１００がＢＤ方式でなる光ディスク１００Ｂであった場合、コリメータレンズ３４により光ビームＬ２Ｐを発散光から光束幅Ｄａとなる平行光に変換し、光ビームＬ２Ｐを反射透過面３６Ａ、反射面３６Ｂ及び透過面３６Ｃを介して光束幅Ｄｂでなる光ビームＬ３Ｐとして対物レンズ３７Ｂへ入射させることにより、当該光ディスク１００Ｂにおける隣接トラックの影響やピット方向の解像度を考慮した最適な光束幅Ｄｂに変更ことができる。
【００７８】
またプリズム３６の透過面３６Ｃは、光ビームＬ２Ｓ及びＬ２Ｐのタンジェンシャル方向に対して傾斜するように設けられているため、タンジェンシャル方向に対して水平に設けられた場合と比して、透過面３６Ｃにおける対物レンズ３７Ｂに対向する部分をさらに低い位置へ下げることができ、その分光ピックアップ２７全体を薄型化することができる。
【００７９】
以上の構成によれば、光ピックアップ２７は、光ディスク１００の判別結果に基づき、偏光切替素子３３によって光ビームＬ１の偏光方向を切り替えて光ビームＬ２Ｓ及びＬ２Ｐを同一の光路からプリズム３６へ入射させ、プリズム３６により対物レンズ３７Ｈ又は３７Ｂへそれぞれ入射させることができる。このため光ピックアップ２７は、対物レンズホルダ２９の入射面２９Ａに１本分の光ビームを通過させるための孔部２９Ｂを設ければよく、当該対物レンズホルダ２９を軽量化した場合でも剛性の低下を必要最小限に抑えることができるので、対物レンズ３７Ｈ又は３７Ｂから出射した光ビームＬ３Ｓ又はＬ３Ｐを精度よく光ディスク１００Ｈ又は１００Ｂに集光することができる。
【００８０】
（２）第２の実施の形態
第２の実施の形態において、光ディスク装置５０（図２）は、第１の実施の形態と比較して、光ピックアップ２７に代えて光ピックアップ５７が設けられている点が異なっているものの、他は同様に構成されているため、その説明は省略する。
【００８１】
ここで光ディスク装置５０は、ＨＤ  ＤＶＤ方式でなる光ディスク１００Ｈ及びＢＤ方式でなる光ディスク１００Ｂに加えて、ＣＤ方式でなる光ディスク１００Ｃ及びＤＶＤ方式でなる光ディスク１００Ｄに対しても情報を記録し、また当該光ディスク１００Ｃ及び１００Ｄから情報を再生し得るようになされている。
【００８２】
図３との対応部分に同一符号を付した図５に示すように、光ピックアップ５７は、光ピックアップ２７と比較して、プリズム３６に代えてプリズム６６が設けられている点と、レーザダイオード６１及びダイクロイックプリズム６２が設けられている点とが異なるものの、他は同様に構成されている。また対物レンズホルダ２９（図示せず）は、第１の実施の形態における対物レンズホルダ２９（図４（Ｂ）及び（Ｃ））と同様に構成されている。
【００８３】
レーザダイオード６１は、ＣＤ方式の波長約７８０［ｎｍ］及びはＤＶＤ方式の波長約６６０［ｎｍ］でなる光ビームＬ６及びＬ８を出射し得るようになされている。
【００８４】
ダイクロイックプリズム６２は、反射透過面６２Ｓの特性により波長約７８０［ｎｍ］及び波長約６６０［ｎｍ］でなる光ビームＬ６及びＬ８を反射し、波長約４０５［ｎｍ］でなる光ビームＬ１を透過するようになされている。
【００８５】
プリズム６６は、第１の実施の形態におけるプリズム３６と同様に、所定の屈折率を有する樹脂材料等でなり、反射透過面６６Ａ、反射面６６Ｂ、透過面６６Ｃ及び載置面６６Ｄを側面とする略４角柱状に形成されており、載置面６６Ｄを下方へ向けるよう倒置された状態で光ピックアップ５７の取付面５７Ａに取り付けられている。
【００８６】
このプリズム６６は、反射透過面６６Ａと載置面６６Ｄとのなす角度α２が４５°に設定され、また反射面６６Ｂと透過面６６Ｃとのなす角度β２、及び光ピックアップ５７の取付面５７Ａに対する反射面６６Ｂの傾斜した角度γ２がそれぞれ適切に設定されていることにより、光ビームＬ２Ｐを対物レンズ３７Ｂへ導き得るようになされている。
【００８７】
さらにプリズム６６は、反射透過面６６Ａに対して、波長約４０５［ｎｍ］であるＳ偏光の光ビームＬ２Ｓを反射し、波長約４０５［ｎｍ］であるＰ偏光の光ビームＬ２Ｐを透過する偏光膜と、波長約７８０［ｎｍ］及び波長約６６０［ｎｍ］でなる光ビームＬ６及びＬ８を反射し、波長約４０５［ｎｍ］でなる光ビームＬ２Ｓ及びＬ２Ｐを透過する波長選択膜とが重ねて貼り付けられている。またプリズム６６は、反射面３６Ｂにより光ビームＬ２Ｐをほぼ１００％反射し、反射面３６Ｃにより光ビームＬ２Ｐをほぼ１００％透過するようになされている。
【００８８】
なお偏光切替素子３３は、光ディスク１００がＣＤ方式でなる光ディスク１００Ｃ及びＤＶＤ方式でなる光ディスク１００Ｄであった場合、制御部２１の制御に応じて、光ビームＬ６及びＬ８をそのまま透過させるようになされている。
【００８９】
これにより光ディスク５７は、光ディスク１００がＨＤ  ＤＶＤ方式でなる光ディスク１００Ｈであった場合、及び当該光ディスク１００がＢＤ方式でなる光ディスク１００Ｂであった場合、レーザダイオード３１から光ビームＬ１を出射させ、ダイクロイックプリズム６２へ当該光ビームＬ１を入射させる。
【００９０】
ダイクロイックプリズム６２は、レーザダイオード３１から入射された光ビームＬ１を反射透過面６２Ｓにより透過させ、無偏光ビームスプリッタ３２、偏光切替素子３３、コリメータレンズ３４及び収差補正素子３５を介して光ビームＬ２Ｓ又はＬ２Ｐをプリズム６６へ入射させる。
【００９１】
プリズム６６は、第１の実施の形態におけるプリズム３６と同様に、反射透過面６６Ａにおいて光ビームＬ２Ｓを反射して光ビームＬ３Ｓとして対物レンズ３７Ｈに入射させ、又は反射透過面６６Ａにおいて光ビームＬ２Ｐを透過させると共に下方へ屈折させ、反射面６６Ｂで当該光ビームＬ２Ｐを反射させた後、当該光ビームＬ２Ｐを透過面６６Ｃにより透過させると共に屈折させた光ビームＬ３Ｐとして対物レンズ３７Ｂへ入射させる。
【００９２】
これにより光ピックアップ５７は、ＨＤ  ＤＶＤ方式でなる光ディスク１００Ｈの信号記録層１００ＨＳに対物レンズ３７Ｈを介して光ビームＬ３Ｓを照射させ、またＢＤ方式でなる光ディスク１００Ｂの信号記録層１００ＢＳに対物レンズ３７Ｂを介して光ビームＬ３Ｐを照射させる。
【００９３】
光ビームＬ３Ｓは、信号記録層１００ＨＳにおいて反射され、反射光ビームＬ４Ｓとして光ビームＬ３Ｓの光路を反対方向へ順次辿る。反射光ビームＬ４Ｓは、対物レンズ３７Ｈにより平行光に変換され、プリズム６６の反射透過面６６Ａにより反射され、収差補正素子３５、コリメータレンズ３４、偏光切替素子３３、無偏光ビームスプリッタ３２及びマルチレンズ３８を介してフォトディテクタ３９に集光される。
【００９４】
また光ビームＬ３Ｐは、信号記録層１００ＢＳにおいて反射され、反射光ビームＬ４Ｐとして光ビームＬ３Ｐの光路を反対方向へ順次辿る。反射光ビームＬ４Ｐは、対物レンズ３７Ｂにより平行光に変換され、プリズム６６の反射透過面６６Ｃにより透過され、反射面６６Ｂにより反射された後、反射透過面６６Ａにより透過され、収差補正素子３５、コリメータレンズ３４、偏光切替素子３３、無偏光ビームスプリッタ３２及びマルチレンズ３８を介してフォトディテクタ３９に集光される。
【００９５】
一方、光ディスク装置５７は、制御部２１により光ディスク１００がＣＤ方式でなる光ディスク１００Ｃであると判別された場合、当該制御部２１の制御に基づいて、レーザダイオード６１から波長約７８０［ｎｍ］でなる光ビームＬ６を出射させ、ダイクロイックプリズム６２へ入射させる。
【００９６】
ダイクロイックプリズム６２は、レーザダイオード６１から入射された光ビームＬ６を反射透過面６２Ｓにより反射して無偏光ビームスプリッタ３２へ入射させる。光ビームＬ６は、無偏光ビームスプリッタ３２、偏光切替素子３３、コリメータレンズ３４及び収差補正素子３５を介してプリズム６６へ入射する。
【００９７】
プリズム６６は、収差補正素子３５から入射された光ビームＬ６を反射透過面６６Ａにより反射させ、当該反射させた光ビームＬ６を対物レンズ３７Ｈへ入射させる。対物レンズ３７Ｈは、光ビームＬ６を集光し、光ディスク１００Ｃの信号記録層１００ＣＳに照射する。
【００９８】
光ビームＬ６は、信号記録層１００ＣＳにおいて反射され、反射光ビームＬ７として光ビームＬ６の光路を反対方向へ順次辿る。反射光ビームＬ７は、対物レンズ３７Ｈにより平行光に変換され、プリズム６６の反射透過面６６Ａにより反射され、収差補正素子３５、コリメータレンズ３４、偏光切替素子３３、無偏光ビームスプリッタ３２及びマルチレンズ３８を介してフォトディテクタ３９に集光される。
【００９９】
また光ディスク装置５７は、制御部２１により光ディスク１００がＤＶＤ方式でなる光ディスク１００Ｄであると判別された場合、当該制御部２１の制御に基づいて、レーザダイオード６１から波長約６６０［ｎｍ］でなる光ビームＬ８を出射させ、ダイクロイックプリズム６２に入射させる。
【０１００】
光ビームＬ８は、光ビームＬ６と同様にダイクロイックプリズム６２により反射し、無偏光ビームスプリッタ３２、偏光切替素子３３、コリメータレンズ３４及び収差補正素子３５を介してプリズム６６へ入射する。
【０１０１】
プリズム６６は、収差補正素子３５から入射された光ビームＬ８を反射透過面６６Ａにより反射させ、当該反射させた光ビームＬ８を対物レンズ３７Ｈへ入射させる。対物レンズ３７Ｈは、光ビームＬ８を集光し、光ディスク１００Ｄの信号記録層１００ＤＳに照射する。
【０１０２】
光ビームＬ８は、信号記録層１００ＤＳにおいて反射され、反射光ビームＬ９として光ビームＬ８の光路を反対方向へ順次辿る。反射光ビームＬ９は、対物レンズ３７Ｈにより平行光に変換され、プリズム６６の反射透過面６６Ａにより反射され、収差補正素子３５、コリメータレンズ３４、偏光切替素子３３、無偏光ビームスプリッタ３２及びマルチレンズ３８を介してフォトディテクタ３９に集光される。
【０１０３】
このように光ピックアップ５７は、光ディスク１００がＣＤ方式でなる光ディスク１００Ｃ又はＤＶＤ方式でなる光ディスク１００Ｄであった場合、光ビームＬ６又はＬ８を光ビームＬ２Ｓと同様にプリズム６６の反射透過面６６Ａで反射させることにより、当該反射された光ビームＬ６又はＬ８を対物レンズ３７Ｈへ入射させるようになされている。
【０１０４】
以上の構成において、光ピックアップ５７は、レーザダイオード６１によりＣＤ方式の波長約７８０［ｎｍ］及びＤＶＤ方式の波長約６６０［ｎｍ］を出射させ、ダイクロイックプリズム６２によりレーザダイオード３１から出射された光ビームＬ１を透過させ、当該ダイクロイックプリズム６２によりレーザダイオード６１から出射された光ビームＬ６及びＬ８を反射させる。
【０１０５】
また光ピックアップ５７におけるプリズム６６の反射透過面６６Ａは、波長約４０５［ｎｍ］でなるＳ偏光の光ビームＬ２Ｓを反射し、波長約４０５［ｎｍ］でなるＰ偏光の光ビームＬ２Ｐを透過すると共に、波長約７８０［ｎｍ］でなる光ビームＬ６及び波長約６６０［ｎｍ］でなる光ビームＬ８を反射し、波長約４０５［ｎｍ］でなる光ビームＬ２Ｓ及びＬ２Ｐを透過する。
【０１０６】
従って光ピックアップ５７は、光ビームＬ２Ｓ、Ｌ６及びＬ８をプリズム６６の反射透過面６６Ａにより反射させて対物レンズ３７Ｈへ導く一方、光ビームＬ２Ｐを反射透過面６６Ａで透過させて反射面６６Ｂ及び透過面６７Ｃを介して対物レンズ３７Ｂへ導くことができる。
【０１０７】
これにより光ピックアップ５７は、光ビームＬ２Ｓ、Ｌ２Ｐ、Ｌ６及びＬ８を同一の光路からプリズム６６へ入射させることができ、第１の実施の形態と同様に、対物レンズホルダ２９の入射面２９Ａに１本分の光ビームのみを通過させるための孔部２９Ｂを設ければよい。このため対物レンズホルダ２９は、２本分の光ビームを通過させる孔部を設ける必要がある対物レンズホルダ９（図１（Ｃ））と比して、軽量化と剛性の維持とを高い次元で両立させることができる。
【０１０８】
従って光ピックアップ５７は、対物レンズ３７Ｈから出射させた光ビームＬ３Ｓ、Ｌ６及びＬ８を精度よく光ディスク１００Ｈ、１００Ｃ及び１００Ｄに集光することができ、また対物レンズ３７Ｂから出射された光ビームＬ３Ｐを精度よく光ディスク１００Ｂに集光することができる。
【０１０９】
また光ピックアップ５７は、ＨＤ  ＤＶＤ方式でなる光ディスク１００Ｈ及びＢＤ方式でなる光ディスク１００Ｂに加えて、ＣＤ方式でなる光ディスク１００Ｃ及びＤＶＤ方式でなる光ディスク１００Ｄに対しても情報を記録し、また当該光ディスク１００Ｃ及び１００Ｄから情報を再生することができる。
【０１１０】
このように光ピックアップ５７は、第１の実施の形態における光ピックアップ２７と比して、レーザダイオード６１及びダイクロイックプリズム６２を設け、また第１の実施の形態におけるプリズム３６に代えて反射透過面３６Ａに波長選択膜を貼り付けたプリズム６６を設けるといった簡易な改良で、光ディスク１００Ｃ及び光ディスク１００Ｄに対する情報の記録及び再生をも行うことができる。
【０１１１】
その他、光ピックアップ５７は、第１の実施の形態における光ピックアップ２７と同様の作用効果を奏し得る。
【０１１２】
以上の構成によれば、光ピックアップ５７は、光ディスク１００の判別結果に基づき、光ビームＬ２Ｓ、Ｌ２Ｐ、Ｌ６及びＬ８を同一の光路からプリズム６６へ入射させ、プリズム６６により光ビームＬ３Ｓ、Ｌ６及びＬ８を対物レンズ３７Ｈへ入射させ、又は光ビームＬ２Ｐを対物レンズ３７Ｂへ入射させることができる。このため光ピックアップ５７は、対物レンズホルダ２９の入射面２９Ａに１本分の光ビームを通過させるための孔部２９Ｂを設ければよく、当該対物レンズホルダ２９を軽量化した場合でも、剛性の低下を必要最小限に抑えることができるので、対物レンズ３７Ｈから出射させた光ビームＬ３Ｓ、Ｌ６及びＬ８を精度よく光ディスク１００Ｈ、１００Ｃ及び１００Ｄに集光することができ、また対物レンズ３７Ｂから出射させた光ビームＬ３Ｐを精度よく光ディスク１００Ｂに集光することができる。
【０１１３】
（３）第３の実施の形態
第３の実施の形態において、光ディスク装置７０（図２）は、第１の実施の形態と比較して、光ピックアップ２７に代えて光ピックアップ７７が設けられている点、及び対物レンズホルダ２９に代えて対物レンズホルダ７９が設けられている点が異なっているものの、他は同様に構成されているため、その説明は省略する。
【０１１４】
ここで光ディスク装置７０は、第２の実施の形態における光ディスク装置５０と同様に、ＨＤ  ＤＶＤ方式でなる光ディスク１００Ｈ及びＢＤ方式でなる光ディスク１００Ｂに加えてＣＤ方式でなる光ディスク１００Ｃ及びＤＶＤ方式でなる光ディスク１００Ｄに対しても情報を記録し、また当該光ディスク１００Ｃ及び１００Ｄから情報を再生し得るようになされているものの、その構成は相違している。
【０１１５】
すなわち図３との対応部分に同一符号を付した図６に示すように、光ピックアップ７７は、第１の実施の形態における光ピックアップ２７と比較して、対物レンズ３７Ｈ及び３７Ｂに代えて対物レンズ８７Ｂ及び８７Ｈが設けられている点と、プリズム３６に代えてプリズム８６が設けられている点と、対物レンズホルダ２９に代えて対物レンズホルダ７９が設けられている点と、レーザダイオード８１、無偏光ビームスプリッタ８２、コリメータレンズ８３、マルチレンズ８４及びフォトディテクタ８５が設けられている点が異なるものの、他は同様に構成されている。
【０１１６】
プリズム８６は、所定の屈折率を有する樹脂材料等でなり、反射透過面８６Ａ、反射面８６Ｂ、反射透過面８６Ｃ及び載置面８６Ｄを側面とする略４角柱状に形成されており、載置面８６Ｄを下方へ向けるよう倒置された状態で光ピックアップ７７の取付面７７Ａに取り付けられている。
【０１１７】
またプリズム８６は、反射透過面８６Ａと載置面８６Ｄとのなす角度α３が４５°に設定され、反射面８６Ｂと反射透過面８６Ｃとのなす角度β３から光ピックアップ７７の取付面７７Ａに対する反射面８６Ｂの傾斜角γ３を除算した角度が４５°に設定されている。
【０１１８】
このプリズム８６の反射透過面８６Ａは、Ｓ偏光の光ビームを反射し、Ｐ偏光の光ビームを透過する偏光膜が貼り付けられている。また反射透過面８６Ｃは、波長約７８０［ｎｍ］及び波長約６６０［ｎｍ］の光ビームを反射し、波長約４０５［ｎｍ］の光ビームを透過する波長選択膜が貼り付けられている。
【０１１９】
対物レンズ８７Ｈは、ＨＤ  ＤＶＤ方式でなる光ディスク１００Ｈに合わせた光学特性を有しており、ＮＡが０．６５でなる。対物レンズ８７Ｂは、ＢＤ方式でなる光ディスク１００Ｂに合わせた光学特性を有しており、ＮＡが０．８５でなる。
【０１２０】
このため光ピックアップ７７は、光ディスク１００がＢＤ方式でなる光ディスク１００Ｂであった場合、レーザダイオード３１から波長約４０５［ｎｍ］の例えばＰ偏光でなるレーザ光を光ビームＬ１として出射させ、無偏光ビームスプリッタ３２を介して光ビームＬ１を偏光切替素子３３に入射させる。
【０１２１】
偏光切替素子３３は、Ｐ偏光の光ビームＬ１をＳ偏光に回転させ、当該回転された光ビームＬ２Ｓをコリメータレンズ３４及び収差補正素子３５を介してプリズム８６へ入射させる。
【０１２２】
プリズム８６は、収差補正素子３５を介して入射された光ビームＬ２Ｓを反射透過面８６Ａにより反射させ、当該反射させた光ビームＬ３Ｓを対物レンズ８７Ｂへ入射させる。対物レンズ８７Ｂは、光ビームＬ３Ｓを集光し、当該光ディスク１００Ｂの信号記録層１００ＢＳに照射する。
【０１２３】
光ビームＬ３Ｓは、信号記録層１００ＢＳにおいて反射され、反射光ビームＬ４Ｓとして光ビームＬ３Ｓの光路を反対方向へ順次辿る。反射光ビームＬ４Ｓは、対物レンズ８７Ｂにより平行光に変換され、プリズム８６の反射透過面８６Ａにより反射され、収差補正素子３５、コリメータレンズ３４、偏光切替素子３３、無偏光ビームスプリッタ３２及びマルチレンズ３８を介してフォトディテクタ３９に集光される。
【０１２４】
また光ピックアップ７７は、光ディスク１００がＨＤ  ＤＶＤ方式でなる光ディスク１００Ｈであった場合、レーザダイオード３１から波長約４０５［ｎｍ］の例えばＰ偏光でなるレーザ光を光ビームＬ１として出射させ、無偏光ビームスプリッタ３２を介して光ビームＬ１を偏光切替素子３３に入射させる。
【０１２５】
偏光切替素子３３は、Ｐ偏光の光ビームＬ１をそのまま透過させ、当該透過された光ビームＬ２Ｐをコリメータレンズ３４及び収差補正素子３５を介してプリズム８６へ入射させる。
【０１２６】
プリズム８６は、収差補正素子３５を介して入射された光ビームＬ２Ｐを反射透過面８６Ａにより透過させると共に下方へ屈折させ、当該光ビームＬ２Ｐを反射面８６Ｂにより反射させ、当該光ビームＬ２Ｐを反射透過面８６Ｃにより透過させると共に屈折させた光ビームＬ３Ｐを対物レンズ８７Ｈへ入射させる。対物レンズ８７Ｈは、光ビームＬ３Ｐを集光し、当該光ディスク１００Ｈの信号記録層１００ＨＳに照射する。
【０１２７】
光ビームＬ３Ｐは、信号記録層１００ＨＳにおいて反射され、反射光ビームＬ４Ｐとして光ビームＬ３Ｐの光路を反対方向へ順次辿る。反射光ビームＬ４Ｐは、対物レンズ８７Ｈにより平行光に変換され、プリズム８６の反射透過面８６Ｃにより透過され、反射面８６Ｂにより反射され、反射透過面８６Ａにより透過された後、収差補正素子３５、コリメータレンズ３４、偏光切替素子３３、無偏光ビームスプリッタ３２及びマルチレンズ３８を介してフォトディテクタ３９に集光される。
【０１２８】
一方、光ディスク装置７７は、制御部２１により光ディスク１００がＣＤ方式でなる光ディスク１００Ｃであると判別された場合、当該制御部２１の制御に基づいて、レーザダイオード３１と対向するように設けられたレーザダイオード８１から波長約７８０［ｎｍ］でなる光ビームＬ１１を出射させ、無偏光ビームスプリッタ８２へ入射させる。
【０１２９】
無偏光ビームスプリッタ８２は、レーザダイオード８１から入射された光ビームＬ１１を約５０％の割合で透過し、コリメータレンズ８３に入射させる。コリメータレンズ８３は、光ビームＬ１１を発散光から平行光に変換し、プリズム８６へ入射させる。
【０１３０】
プリズム８６は、反射透過面３６Ｃにより光ビームＬ１１を反射し、対物レンズ８７Ｈへ入射させる。対物レンズ８７Ｈは、光ビームＬ１１を集光し、光ディスク１００Ｃの信号記録層１００ＣＳに照射する。
【０１３１】
光ビームＬ１１は、信号記録層１００ＣＳにおいて反射され、反射光ビームＬ１２として光ビームＬ１１の光路を反対方向へ順次辿る。反射光ビームＬ１２は、対物レンズ８７Ｈにより平行光に変換され、プリズム８６の反射透過面８６Ｃにより反射され、コリメータレンズ８３、無偏光ビームスプリッタ８２及びマルチレンズ８４を介してフォトディテクタ８５に集光される。
【０１３２】
また光ディスク装置７７は、制御部２１により光ディスク１００がＤＶＤ方式でなる光ディスク１００Ｄであると判別された場合、当該制御部２１の制御に基づいて、レーザダイオード８１から波長約６６０［ｎｍ］でなる光ビームＬ１３を出射させ、無偏光ビームスプリッタ８２に入射させる。
【０１３３】
光ビームＬ１３は、光ビームＬ１１と同様に、無偏光ビームスプリッタ８２、コリメータレンズ８３を介してプリズム８６へ入射し、プリズム８６の反射透過面８６Ｃにより反射して対物レンズ８７Ｈへ入射する。対物レンズ８７Ｈは、光ビームＬ１３を集光し、光ディスク１００Ｄの信号記録層１００ＤＳに照射する。
【０１３４】
光ビームＬ１３は、信号記録層１００ＤＳにおいて反射され、反射光ビームＬ１４として光ビームＬ１３の光路を反対方向へ順次辿る。反射光ビームＬ１４は、対物レンズ８７Ｈにより平行光に変換され、プリズム８６の反射透過面８６Ｃにより反射され、コリメータレンズ８３、無偏光ビームスプリッタ８２及びマルチレンズ８４を介してフォトディテクタ８５に集光される。
【０１３５】
このとき対物レンズホルダ７９は、光ビームＬ２Ｓ及びＬ２Ｐを同一の光路からプリズム８６へ入射させるべく、入射面７９Ａに１本分の光ビームを通過させるための孔部７９Ｂと、光ビームＬ１１及びＬ１３を同一の光路により光ビームＬ２Ｓ及びＬ２Ｐと対向する方向から入射させるべく、対向入射面７９Ｃに１本分の光ビームを通過させるための孔部７９Ｄとが設けられている。
【０１３６】
従って対物レンズホルダ７９は、１本分の光ビームを通過させ得る程度の孔部７９Ｃ及び７９Ｄをそれぞれ入射面７９Ａ及び対向入射面７９Ｃに設ければ良く、２軸アクチュエータ２８の制御に対する応答性をよくするために軽量化を実現すると共に、剛性の低下を必要最小限に抑えることができる。
【０１３７】
このように光ピックアップ７７は、光ディスク１００がＣＤ方式でなる光ディスク１００Ｃ、又はＤＶＤ方式でなる光ディスク１００Ｄであった場合、光ビームＬ１１又はＬ１３をプリズム８６の反射透過面８６Ｃで反射させることにより、当該反射された光ビームＬ１１又はＬ１３を対物レンズ８７Ｈへ入射させるようになされている。
【０１３８】
以上の構成において、光ピックアップ７７は、プリズム８６の反射透過面８６Ｃにより、波長約７８０［ｎｍ］の光ビームＬ１１及び波長約６６０［ｎｍ］の光ビームＬ１３を反射し、波長約４０５［ｎｍ］の光ビームＬ２Ｐを透過する。
【０１３９】
従って光ピックアップ７７は、光ビームＬ２Ｓをプリズム８６の反射透過面８６Ａにより反射させて対物レンズ８７Ｂへ導き、光ビームＬ２Ｐを反射透過面８６Ａで透過させて反射面８６Ｂ及び反射透過面８７Ｃを介して対物レンズ８７Ｈへ導くと共に、光ビームＬ１１及びＬ１３を反射透過面８７Ｃにより反射させて対物レンズ８７Ｈへ導くことができる。
【０１４０】
すなわちプリズム８６の反射透過面８６Ｃは、光ビームＬ２Ｐを屈折させることにより立ち上げて対物レンズ８７Ｈへ導くと共に、光ビームＬ１１及びＬ１３を反射させることにより立ち上げて対物レンズ８７Ｈへ導くことができる。
【０１４１】
これにより光ピックアップ７７は、ＨＤ  ＤＶＤ方式でなる光ディスク１００Ｈ及びＢＤ方式でなる光ディスク１００Ｂに加えて、ＣＤ方式でなる光ディスク１００Ｃ及びＤＶＤ方式でなる光ディスク１００Ｄに対しても情報を記録し、また当該光ディスク１００Ｃ及び１００Ｄから情報を再生することができる。
【０１４２】
この光ピックアップ７７は、光ビームＬ２Ｓ及びＬ２Ｐを同一の光路からプリズム８６へ入射させ、また光ビームＬ１１及びＬ１３を同一の光路でかつ光ビームＬ２Ｓ及びＬ２Ｐと対向する方向から入射させるため、対物レンズホルダ７９の入射面７９Ａに孔部７９Ｂと、対向入射面７９Ｃに孔部７９Ｄとが設けられていればよい。そのため対物レンズホルダ７９は、図１（Ｃ）に示したように同一方向から並行して２本分の光ビームを通過させる孔部を設ける必要がある対物レンズホルダ９と比して、剛性を高くすることができる。
【０１４３】
従って光ピックアップ７７は、対物レンズ８７Ｈから出射した光ビームＬ３Ｐ、Ｌ１１及びＬ１３を精度よく光ディスク１００Ｈ、１００Ｃ及び１００Ｄに集光することができ、また対物レンズ８７Ｂから出射した光ビームＬ３Ｓを精度よく光ディスク１００Ｂに集光することができる。
【０１４４】
また光ピックアップ７７は、波長約４０５［ｎｍ］の光ビームＬ１と、波長約７８０［ｎｍ］及び波長約６６０［ｎｍ］の光ビームＬ１１又はＬ１３とを対向するようにプリズム８６へ入射させることができるので、コリメータレンズ３３及び８３をそれぞれの波長に対して最適化することができる。
【０１４５】
その他、光ピックアップ７７は、第１の実施の形態における光ピックアップ２７と同様の作用効果を奏し得る。
【０１４６】
以上の構成によれば、光ピックアップ７７は、光ディスク１００の判別結果に基づき、偏光切替素子３３によって光ビームＬ１の偏光方向を切り替えて光ビームＬ２Ｓ及びＬ２Ｐを同一の光路からプリズム８６へ入射させ、また光ビームＬ１１及びＬ１３を光ビームＬ２Ｓ及びＬ２Ｐと対向する同一の光路からプリズム８６へ入射させ、プリズム８６により光ビームＬ３Ｐ、Ｌ６及びＬ８を対物レンズ８７Ｈへ入射させ、又は光ビームＬ２Ｓを対物レンズ８７Ｂへ入射させることができる。このため光ピックアップ５７は、対物レンズホルダ７９の入射面７９Ａに孔部７９Ａ及び対向入射面７９Ｃに孔部７９Ｄを設ければよく、当該対物レンズホルダ７９を軽量化した場合でも、剛性の低下を必要最小限に抑えることができるので、対物レンズ８７Ｈから出射した光ビームＬ３Ｐ、Ｌ１１及びＬ１３を精度よく光ディスク１００Ｈ、１００Ｃ又は１００Ｄに集光することができ、また対物レンズ８７Ｂから出射した光ビームＬ３Ｓを精度よく光ディスク１００Ｂに集光することができる。
【０１４７】
（４）他の実施の形態
なお上述した実施の形態においては、プリズム３６、６６及び８６を単一体で構成するようにした場合について述べたが、本発明はこれに限らず、例えば２つの同一材料の三角プリズム、又は異なる材料の三角プリズムを貼り合わせるようにしても良い。
【０１４８】
この場合、例えば図７に示すように、三角プリズム１０１及び当該三角プリズム１０１とは屈折率が異なる材料でなる三角プリズム１０２を張り合わせるようにしても良い。このとき三角プリズム１０１では、例えば光ビームＬ２Ｐが反射透過面１０１Ａから入射した場合、三角プリズム１０２とは屈折率が異なるため、当該三角プリズム１０１の透過面１０１Ｂと当該三角プリズム１０２の透過面１０２Ａとの境目で光ビームＬ２Ｐを屈折させることができる。
【０１４９】
これにより光ビームＬ２Ｐは、プリズム３６、６６及び８６とは異なる光路を辿って三角プリズム１０２を透過する。そのため三角プリズム１０２の透過面１０２Ｃは、光ビームＬ２Ｐの進行方向側に傾斜する角度をプリズム３６の透過面３６Ｃ及びプリズム６６の透過面６６Ｃより急に傾けることができ、その分、透過面１０２Ｃにおける対物レンズ３７Ｂに対向する部分をさらに低い位置へ下げることができる。
【０１５０】
また上述した実施の形態においては、プリズム３６を、略四角柱状とするようにした場合について述べたが、本発明はこれに限らず、反射透過面３６Ａ、反射面３６Ｂ及び透過面３６Ｃを有し、且つ光ピックアップ２７に固定できるのであれば、例えば略三角柱や略五角柱等、あるいは各種多面体の形状とするようにしても良い。なおプリズム６６及び８６についても同様である。
【０１５１】
さらに上述した実施の形態においては、プリズム３６における反射透過面３６Ａと載置面３６Ｄとのなす角度α１が４５°に設定されている場合について述べたが、本発明はこれに限らず、光ビームＬ３Ｓ及びＬ３Ｐを垂直に立ち上げ得るのであれば、反射透過面３６Ａと載置面３６Ｄとのなす角度α１を任意の角度としても良い。
【０１５２】
さらに上述した第１の実施の形態において、光ディスク１００がＨＤ  ＤＶＤ方式でなる光ディスク１００Ｈであった場合にはプリズム３６の透過反射面３６Ａにより光ビームＬ２Ｓを反射して対物レンズ３７Ｈに導き、光ディスク１００がＢＤ方式でなる光ディスク１００Ｂであった場合にはプリズム３６の反射透過面３６Ａにより光ビームＬ２Ｐを透過して反射面３６Ｂ及び透過面３６Ｃを介して対物レンズ３７Ｂへ導くようにした場合について述べたが、本発明はこれに限らず、対物レンズ３７Ｈ及び３７Ｂの配置を入れ替え、光ディスク１００がＨＤ  ＤＶＤ方式でなる光ディスク１００Ｈであった場合にはプリズム３６の透過反射面３６Ａにより光ビームＬ２Ｐを透過して反射面３６Ｂ及び透過面３６Ｃを介して対物レンズ３７Ｈへ導き、光ディスク１００がＢＤ方式でなる光ディスク１００Ｂであった場合にはプリズム３６の反射透過面３６Ａにより光ビームＬ２Ｓを反射して対物レンズ３７Ｂへ導くようにしても良い。
【０１５３】
さらに上述した実施の形態においては、プリズム３６の透過面３６Ｃと対物レンズ３７Ｂとの間の空間に何も設けないようにした場合について述べたが、本発明はこれに限らず、例えば１／４波長偏光板や開口制限フィルタ等を設けるようにしても良い。
【０１５４】
この場合、１／４波長偏光板や開口制限フィルタ等をプリズム３６の透過面３６Ｃと平行に設けるようにすれば、タンジェンシャル方向に対して水平に設けられた場合と比して、１／４波長偏光板や開口制限フィルタ等における対物レンズ３７Ｂに対向する部分をさらに低い位置へ下げることができ、その分光ピックアップ２７全体を薄型化することができる。なお、プリズム６６についても同様である。
【０１５５】
さらに上述した実施の形態において、偏光切替素子３３は、液晶により光ビームの偏光方向を切り替えるようにした場合について述べたが、本発明はこれに限らず、例えば種々の光学素子により光ビームの偏光方向を切り替えるようにしても良い。
【０１５６】
さらに上述した実施の形態においては、コリメータレンズ３４とプリズム３６、６６及び８６との間に収差補正素子３５を設けるようにした場合について述べたが、本発明はこれに限らず、例えば光ビームの収差を他の部品で補正することができるような場合に、収差補正素子３５を省略しても良い。
【０１５７】
さらに上述した実施の形態においては、光ピックアップ５７に対して、無偏光ビームスプリッタ３２とコリメータレンズ３４との間に偏光切替素子３３を設けるようにした場合について述べたが、本発明はこれに限らず、例えばレーザダイオード３１とダイクロイックプリズム６２との間に偏光切替素子３３を設けるようにしても良く、要はレーザダイオード３１から出射された光ビームＬ１が偏光切替素子３３を通過するようにすれば良い。
【０１５８】
さらに上述した実施の形態においては、光ディスク１００の種別がＢＤ方式でなる光ディスク１００Ｂ又はＨＤ  ＤＶＤ方式でなる光ディスク１００Ｈのいずれであるかにより、共通の波長約４０５［ｎｍ］でなる光ビームＬ１を、偏光切替素子３３によって偏光方向を切り替え、プリズム３６、６６及び８６によって別々の光路に切り換えるようにした場合について述べたが、本発明はこれに限らす、同一波長でかつ異なる対物レンズを用いる複数方式の光ディスクに対応するような場合に適用しても良い。
【０１５９】
さらに上述した実施の形態においては、光ディスク装置２０、５０及び７０が光ディスク１００に対し情報の記録及び再生の両方を行い得るようにした場合について述べたが、本発明はこれに限らず、当該光ディスク１００に対して情報の記録のみを行い、又は当該情報の再生のみを行うようにしても良い。
【０１６０】
さらに上述した実施の形態においては、偏光切替部として偏光切替素子３３、反射透過面として反射透過面３６Ａ、反射面として反射面３６Ｂ、透過面として透過面３６Ｃ、プリズムとしてプリズム３６によって本発明の光ピックアップ２７を構成するようにした場合について述べたが、本発明はこれに限らず、この他種々の構成でなる偏光切替部、反射透過面、反射面、透過面、プリズムによって光ピックアップを構成するようにしても良い。
【０１６１】
さらに上述した実施の形態においては、偏光切替部として偏光切替素子３３、反射透過面として反射透過面３６Ａ、反射面として反射面３６Ｂ、透過面として透過面３６Ｃ、プリズムとしてプリズム３６、制御部として制御部２１によって本発明の光ディスク装置２０を構成するようにした場合について述べたが、本発明はこれに限らず、この他種々の構成でなる偏光切替部、反射透過面、反射面、透過面、プリズム、制御部によって光ディスク装置を構成するようにしても良い。
【産業上の利用可能性】
【０１６２】
本発明の光ピックアップ及び光ディスク装置は、例えば大容量のデータを記録及び再生し得るに光ディスク装置に利用することができる。
【図面の簡単な説明】
【０１６３】
【図１】従来の光ディスク装置を示す略線図である。
【図２】光ディスク装置の全体構成を示す略線図である。
【図３】第１の実施の形態による光ピックアップの構成を示す略線図である。
【図４】第１の実施の形態による対物レンズホルダの構成を示す略線図である。
【図５】第２の実施の形態による光ピックアップの構成を示す略線図である。
【図６】第３の実施の形態による光ピックアップの構成を示す略線図である。
【図７】他の実施の形態による三角プリズムの構成を示す略線図である。
【符号の説明】
【０１６４】
１、２０、５０、７０……光ディスク装置、２、２７、５７，７７……光ピックアップ、３、３１、６１、８１……レーザダイオード、４……１／２偏光板、５……偏光方向切換器、６……偏光ビームスプリッタ、７Ｂ、７Ｈ、３４、８３……コリメータレンズ、８……１／４波長板、９、２９、７９……対物レンズホルダ、１０Ｂ、１０Ｈ、３７Ｂ、３７Ｈ、８７Ｂ、８７Ｈ……対物レンズ、１１……反射板、１２……集光レンズ、１３、３９、８５……フォトディテクタ、１４Ｂ、１４Ｈ……立上ミラー、２１……制御部、２２……駆動部、２３……信号処理部、２５……スピンドルモータ、２６……スレッドモータ、２８……２軸アクチュエータ、２９Ａ……入射面、２９Ｂ……孔部、３２、８２……無偏光ビームスプリッタ、３３……偏光切替素子、３５……収差補正素子、３６……プリズム、３６Ａ、６６Ａ、８６Ａ、８６Ｃ……反射透過面、３６Ｂ、６６Ｂ、８６Ｂ……反射面、３６Ｃ、６６Ｃ……透過面、３６Ｄ、６６Ｄ、８６Ｄ……載置面、３８、８４……マルチレンズ、６２……ダイクロイックプリズム、１００、１００Ｂ、１００Ｃ、１００Ｄ、１００Ｈ……光ディスク。
【図１】
2009181629.tif 000003
【図２】
2009181629.tif 000004
【図３】
2009181629.tif 000005
【図４】
2009181629.tif 000006
【図５】
2009181629.tif 000007
【図６】
2009181629.tif 000008
【図７】
2009181629.tif 000009